(57)【要約】【課題】小屋裏収納空間の使い勝手を良好にすると共に、それを安全かつ快適に有効利用することができる住宅の小屋裏構造を提供すること。【解決手段】建物内に小屋裏収納空間Ｓを設けたユニット住宅Ｔにおいて、小屋裏収納空間Ｓには幕天井３１が設けられ、小屋裏収納空間Ｓの床面３８から幕天井３１までの高さが１．４ｍ以下に設定され、幕天井３１は布製であって、幕天井３１とその幕天井３１の上部に位置する屋根との間（上部空間３５）は、空間となっている構造とした。【選択図】　　　図１
2004011157.tif 000002
【特許請求の範囲】
【請求項１】
建物内に小屋裏収納空間を設けた住宅において、前記小屋裏収納空間には幕天井が設けられ、前記小屋裏収納空間の床面から前記幕天井までの高さが１．４ｍ以下に設定されていることを特徴とする住宅の小屋裏構造。
【請求項２】
請求項１記載の住宅の小屋裏構造において、前記幕天井は布製であって、前記幕天井とその幕天井の上部に位置する屋根との間は、空間となっていることを特徴とする住宅の小屋裏構造。
【請求項３】
請求項１記載の住宅の小屋裏構造において、前記小屋裏収納空間には、下階とを連絡する昇降棒が設けられていることを特徴とする住宅の小屋裏構造。
【請求項４】
請求項１記載の住宅の小屋裏構造において、前記住宅の屋根の形状は勾配屋根であって、前記勾配屋根の一部には開閉可能な天窓が配置されていることを特徴とする住宅の小屋裏構造。
【請求項５】
請求項１記載の住宅の小屋裏構造において、前記小屋裏収納空間の壁面には採光部が設けられ、前記採光部は開閉可能であることを特徴とする住宅の小屋裏構造。
【発明の詳細な説明】
【０００１】
【発明の属する技術分野】
本発明は、建物内に小屋裏収納空間を設けた、住宅の小屋裏構造に関する。
【０００２】
【背景の技術】
建物内に小屋裏収納空間（小屋裏スペース）を設けた住宅は、従来から広く知られている。この小屋裏スペースは、例えば上階である二階の天井裏に相当する小屋裏部分に設けられる。小屋裏スペースは、以下の条件に該当するものについては、建築基準法の規定の適用に当たっては、階とみなさない、とされている。
【０００３】
▲１▼　小屋裏スペースの部分の水平投影面積は、直下の階の床面積の１／２以下であること。
▲２▼　小屋裏スペースの天井の最高の高さは、１．４ｍ以下であること。
▲３▼　物の出し入れのために利用するはしご（梯子）等は、固定式のものとしないこと。
【０００４】
【発明が解決しようとする課題】
ところで、住宅のような建物の設計・建築においては、延べ床面積が問題となることが多い。この問題は、特に、敷地面積に対する建物の建坪率や容積率との関係において重要である。
【０００５】
例えば、近年において、３階建ての戸建て住宅の建築も多く見られるが、敷地面積が充分でない場合には、建ぺい率や容積率との関係で床面積を抑制する必要性が生じる。しかし、可能な限り大きな物置や収納などを建物内に設けることは、建物の使い勝手の点で効果的である。
【０００６】
この点、小屋裏スペースは、上記▲１▼〜▲３▼に該当する場合、階とみなさないため、延べ床面積に算入されない。したがって、建物内に収納として利用できる大型の物置が存在するものの、実質的に延べ床面積が抑制され、容積率制限等を受けにくい利点が得られる。
【０００７】
しかしながら、この小屋裏スペースの場合、人の出入りや物の出し入れの際に天井が１．４ｍ以下に設定されているため、通常の大人が作業等を行うには使い勝手が悪く、効率的に物の出し入れ等を行うことが出来ない問題があった。しかも、小屋裏スペースは屋根の直下にあたるため小屋裏スペース内が暗くなり、また換気なども効率よく行われにくい、ということで有効利用されないという問題もあった。
【０００８】
本発明の課題は、小屋裏スペース（小屋裏収納空間）の使い勝手を良好にすると共に、それを安全かつ快適に有効利用することができる住宅の小屋裏構造を提供することにある。
【０００９】
【課題を解決するための手段】
本発明は、建物内の小屋裏収納空間に幕天井を設け、小屋裏収納空間の床面から幕天井までの高さが１．４ｍ以下に設定されている構造とした。
【００１０】
このような本発明によれば、小屋裏収納空間に幕天井が設けられていることで、小屋裏収納空間内に出入りおよび作業等を行う際に、効率よく行うことができる。具体的には、幕天井であるため頭部などが天井に衝突しても衝撃がほとんどないため、通常の天井に比べて気にする必要がなくなる。また、小屋裏収納空間の床面から幕天井までの高さを１．４ｍ以下に設定することで、小屋裏収納空間は床面積としては算入されないため、この部分での容積率制限等は受けない。従って、住宅内に大型の収納空間を確保することが可能となり、使い勝手が良好となる。
【００１１】
前記幕天井は布製であって、幕天井とその幕天井の上部に位置する屋根との間は、空間となっていることが望ましい。このように形成した場合、小屋裏収納空間の天井（幕天井）が布製であるため、頭上に必要以上の注意を要することなく利用することができ、仮に、頭部等を衝突させても安全である。また、幕天井と上部の屋根との間に空間が形成されていることで、小屋裏収納空間を利用する人の背丈の大小を問わないため、ほぼ万人向けの小屋裏収納空間が形成される。従って、使い勝手の良い小屋裏収納を形成することができる。
【００１２】
前記小屋裏収納空間には、下階とを連絡する昇降棒が設けられていることが望ましい。このように配置した場合、緊急時、例えば火事や地震などの災害等が発生したときにでも昇降棒をつたって、小屋裏収納空間からすばやく下階へ非難することができ、安全性に充分に配慮された構造となっている。
【００１３】
前記住宅の屋根の形状は勾配屋根であって、勾配屋根の一部には開閉可能な天窓が配置されていることが望ましい。住宅の最上部に位置する勾配屋根に開閉可能な天窓を配置することで、住宅内部に通風および排熱構造を形成することができる。特に夏季においては、住宅全体の熱環境が悪化しやすい為、優れた効果を奏する。
【００１４】
前記小屋裏収納空間の壁面には採光部が設けられ、採光部は開閉可能であることが望ましい。このように形成した場合、天窓より外部からの自然光を取り入れることが可能となり、小屋裏収納空間を快適に使用することができる。また、採光部が開閉できることで、小屋裏収納空間の換気も良好に作用し、作業等を行う際に発生する、塵埃を効果的に防ぐことができる。従って、健康や衛生面にも配慮した構造となる。
【００１５】
【発明の実施の形態】
以下、本発明の実施の形態について、図面を参照して説明する。
図１は本発明に係る住宅と小屋裏収納空間を示す正面図である。
この実施の形態では、本発明を２階建てユニット住宅に適用した例を示す。
【００１６】
図１は、小屋裏に幕天井３１を設けた小屋裏収納空間Ｓを有する２階建てのユニット住宅Ｔを示している。ユニット住宅Ｔは勾配屋根３６を有し、勾配屋根３６の一部には天窓３３を備えている。天窓３３については後述する。
【００１７】
ユニット住宅Ｔの居住空間は１階にリビングルーム１０、ダイニングキッチン１４を設け、２階に寝室２０および寝室２１が配置されている。寝室２０および寝室２１の間には可動壁２２が配置されている。小屋裏収納空間Ｓは２階の寝室２０および寝室２１のほぼ中間部の上部に位置しており、壁３７および床３８等で形成されている。壁３７には後述する採光部３２が備えられている。また、小屋裏収納空間Ｓの上部には布製の幕天井３１が備えられており、幕天井３１と勾配屋根３６との間は空間となっており、上部空間３５が形成されている。
【００１８】
小屋裏収納空間Ｓの床３７から幕天井３１までの高さは１．４ｍ以下（１．３ｍ前後）に設定されている。また、幕天井３１は布製で出来ているので頭部などが天井に衝突しても衝撃が少ないため、通常の天井に比べて頭上を気にする必要がなくなる。このため小屋裏収納空間Ｓは使い勝手が良好な上に階とみなされないため床面積にも算入されない。従って、住宅内に大型の収納空間を確保することが可能となり、小屋裏収納空間Ｓを有効利用することができる。
【００１９】
さらに小屋裏収納空間Ｓの幕天井３１と勾配屋根３６との間に上部空間３５が形成されていることで、小屋裏収納空間Ｓを利用する人の背丈の大小を問わないため、ほぼ万人向けの小屋裏収納空間Ｓが形成される。従って、使い勝手の良い小屋裏収納を形成することができる。
【００２０】
小屋裏収納空間Ｓに隣接するように、その小屋裏収納空間Ｓと２階とを連絡する昇降棒３４が配置されている。昇降棒３４は鋼製で、２階の床２３と勾配屋根３６との固定されている。昇降棒３４は緊急時、例えば火事や地震などの災害等が発生したときに昇降棒３４をつたって、小屋裏収納空間Ｓからすばやく下階へ非難することができる構造となっている。
【００２１】
図２には、小屋裏収納空間Ｓの拡大正面図を示している。小屋裏収納空間Ｓの壁３７には開閉可能な採光部３２が設けられている。また、勾配屋根３６に備えられた天窓３３は開閉可能な構造となっている。従って、小屋裏収納空間Ｓおよびユニット住宅Ｔ内に外部からの新鮮な空気を取り込むことができる上、室内の熱や空気を換気することが可能となり、室内環境が良好になる。特に夏季においては、住宅全体の熱環境が悪化しやすい為、優れた効果が期待できる。
【００２２】
また、実施例では、採光部３２は開閉可能な構造としているので、天窓３３より外部からの自然光が取り入れられるため、小屋裏収納空間Ｓは通常の小屋裏と比較して明るくなり、快適に使用することができる。さらに開閉できることで、小屋裏収納空間Ｓの換気を促すことができ、荷物の出し入れなどを行う場合の塵埃を効果的に防ぐことができる。従って、健康や衛生面にも配慮した構造となっている。
【００２３】
図３には、ユニット住宅Ｔの１階の平面間取図を示している。ユニット住宅Ｔは１階と２階にそれぞれ４個ずつのユニットを備えており、それらユニット同士を離し置いて配置し、その間隔部分を居室空間として利用する形態となっている。ユニット住宅Ｔは間口６間、奥行き５間半の住宅で、正面は西に面している。住宅ユニット３０ａには、西向きの玄関１５が配置されている。玄関１５の玄関扉は自動ドアで構成され、玄関１５に隣接してダミー玄関扉１５ａが配置されている。ダミー玄関扉１５ａは、木製の戸を有し、物入れとしての機能が主であるが、外観上は玄関との見分けを付き難くしているため、防犯効果にも良好な形態としている。玄関１５を抜けると、壁厚を利用し、乾燥および脱臭機能を備えた、玄関収納１５ｂが配置されている。
【００２４】
住宅ユニット３０ｂには、レンガ暖炉１２ａと緩勾配階段１２が備えられている。南側には、フルフラットサッシ１６と可動間仕切１６ａが配置されている。フルフラットサッシ４４と可動間仕切４４ａの大きさは幅が約６ｍで、南側の壁一面を覆っている。また、可動間仕切４４ａは壁に沿って自在に可動させることが可能である。フルフラットサッシ１６の外側にはインナーテラス１３が設けられている。インナーテラス１３にはジャグジーバス１３ａが配置されている。
【００２５】
東側に配置された、住宅ユニット３０ｃは、移動式オープンキッチン１１と開口キッチン１１ａが備えられている。移動式オープンキッチン１１は、下部に車輪を設けているため室内を移動可能となっており、側面には複数の抽斗を備えている。住宅ユニット３０ｃの南側に配置された、住宅ユニット３０ｄには、トイレ１８とミラー戸１９が備えられている。ミラー戸１９は、壁面全体を覆っており、ミラーとしての機能以外に反対側にオーディオ等を設置することができるため、リビングルーム１０からも利用できる構造となっている。
【００２６】
ユニット住宅Ｔの北側には、幅が約６ｍのフルフラットサッシ１６が壁面全体に配置され、フルフラットサッシ１６の外側には、オーバーハングカーポート１７が配置されている。建物ユニット３０ａ〜３０ｄの間隔部分となる居室空間にはリビングルーム１０およびダイニングキッチン１４が設けられる。また、このユニット住宅Ｔは、人感知センサーにより照明が操作される構造となっており、照明スイッチはない。さらに、玄関１５周辺を映し出す防犯カメラや人感知センサーを備え、インターホンには携帯電話等の携帯端末を使用し、住人の判別を行うため、防犯上、非常に優れた構造となっている。
【００２７】
図４には、ユニット住宅Ｔの２階の平面間取図を示している。住宅ユニット３０ｅには、システムクローゼット２６が配置されている。システムクローゼット２６は、内部で不自由なく着替え等を行えるようなスペースと人感知照明２６ａが備えられている。
【００２８】
住宅ユニット３０ｅの南側には、住宅ユニット３０ｆが配置され、住宅ユニット３０ｆには１階から続く緩勾配階段１２と、隣接してロボットリフト２７およびロボットが配置されている。ロボットは、１階から続く上部吹き抜けＪを通過するロボットリフト２７を使用し、１階と２階を往来することができ、料理や荷物等を運ぶことなどに利用される。従って、住人のなかに病気や介護等が必要な場合においても、利便性に優れている。
【００２９】
ユニット住宅Ｔの南側には、長方形のインナーバルコニー２４が配置されている。また、東側に面して配置された、住宅ユニット３０ｇおよび住宅ユニット３０ｈには、北側から風呂場２５および洗面所２８が備えられ、南側に向かって、トイレ２７と壁収納２９、家事コーナー２９ａが備えられている。壁収納２９は寝室２０の壁一面を覆うように配置されている。
【００３０】
建物ユニット３０ｅ〜３０ｈの間隔部分となる居室空間には、南側に寝室２０が、北側に寝室２１が配置されている。寝室２０と寝室２１の天井の一部は吹き抜けＦとなっており、開放的な空間を形成している。寝室２０と寝室２１の間には、可動壁２２が配置されている。寝室２０の室内には昇降棒３４が配置され、小屋裏収納空間Ｓとの連絡場所となっている。寝室２１の上部には、電動開閉式の天窓３３が配置され、吹き抜けＦと合わせることで、採光を十分に取り入れる構造とすることができ、居住性の向上を図ることができる。なお、上記実施の形態では、本発明を二階建てユニット住宅に適用した例を示したが、三階建てユニット住宅にも適用することができる。
【００３１】
【発明の効果】
以上のように、本発明によれば、小屋裏収納空間に幕天井を設け、小屋裏収納空間の壁面に工夫を凝らし、天窓を効果的に利用することで、小屋裏収納空間の使い勝手を良好にすると共に、それを安全かつ快適に有効利用することができる。
【図面の簡単な説明】
【図１】本発明の実施形態に係るユニット住宅と小屋裏を示す正面図である。
【図２】本発明の実施形態に係る小屋裏の構造を示す拡大正面図である。
【図３】本発明の実施形態に係るユニット住宅の１階を示す平面間取図である。
【図４】本発明の実施形態に係るユニット住宅の２階を示す平面間取図である。
【符号の説明】
１０　　リビングルーム
１１　　移動式オープンキッチン
１１ａ　開口キッチン
１２　　緩勾配階段
１３　　インナーテラス
１３ａ　ジャグジーバス
１４　　ダイニングキッチン
１５　　玄関
１５ａ　ダミー玄関扉
１５ｂ　玄関収納
１６　　フルフラットサッシ
１６ａ　可動間仕切
１７　　カースペース
１８　　トイレ
１９　　ミラー戸
２０、２１　寝室
２２　　可動壁
２３　　床
２４　　インナーバルコニー
２５　　風呂場
２６　　システムクローゼット
２６ａ　人感知照明
２７　　トイレ
２８　　洗面所
２９　　壁収納
２９ａ　家事コーナー
３０　　（ａ〜ｈ）　住宅ユニット
３１　　幕天井
３２　　採光部
３３　　天窓
３４　　昇降棒
３５　　上部空間
３６　　勾配屋根
３７　　壁
３８　　床
Ｆ　　　吹き抜け
Ｊ　　　上部吹き抜け
Ｓ　　　小屋裏収納空間
Ｔ　　　ユニット住宅
【図１】
2004011157.tif 000003
【図２】
2004011157.tif 000004
【図３】
2004011157.tif 000005
【図４】
2004011157.tif 000006